(57)【要約】【課題】  1心の光ファイバで双方向通信が可能な波長多重光通信システムに関し、送信した光信号の反射による、受信光信号の品質劣化の少ない波長多重光通信システムを提供することを目的とする。【解決手段】  複数の異なる波長の光信号λａ1，λｂ1、λａ2，λｂ2を多重化した多重化信号Ｓ1、Ｓ2を第１の光ファイバ線路１０に伝送し、双方向で通信する波長多重光通信システム１Ａにおいて、第１の光ファイバ線路１０の両端に接続された光合分波器２１，３１と、この光合分波器２１，３１に接続され、互いに通信を行う光トランシーバ２２ａと同３２ａ、同２２ｂと同３２ｂを備え、これら光合分波器２１，３１と光トランシーバ２２ａ，３２ａ，２２ｂ，３２ｂとの接続は、互いに光信号の伝送方向が異なる２心の光ファイバからなる第２の光ファイバ線路２３ａ，２３ｂ，３３ａ，３３ｂにより行われていることを特徴とする。【選択図】      図１
2005079689.tif 000002
【特許請求の範囲】
【請求項１】
複数の異なる波長の光信号を多重化した多重化信号を光ファイバに伝送し、双方向で通信する波長多重光通信システムであって、
1心の光ファイバからなる第１の光ファイバ線路と、
この第１の光ファイバ線路の両端に各々接続され、前記複数の異なる波長の光信号および前記多重化信号を相互に変換する光合分波器と、
前記光合分波器の各々に接続されて対をなし、何れか一方が送信した特定の波長の光信号を他方が受信して双方向の通信を可能にする一対または二対以上の光トランシーバと、を備え、
前記光合分波器および前記光トランシーバは、互いに光信号の伝送方向が異なる２心の光ファイバからなる第２の光ファイバ線路により接続されていることを特徴とする波長多重光通信システム。
【請求項２】
前記第２の光ファイバ線路に挿入される光減衰器を備えたことを特徴とする請求項1に記載の波長多重光通信システム。
【発明の詳細な説明】
【技術分野】
【０００１】
本発明は光通信システムの分野に関し、特に1心の光ファイバで双方向通信が可能な波長多重光通信システムに関するものである。
【背景技術】
【０００２】
ネットワーク通信の高速度、高容量化を実現する技術として、従来から波長多重伝送方式（ＷＤＭ：Wavelength Division Multiplex）による光通信が知られている。ＷＤＭは、一心の光ファイバに異なる波長の光を通してチャネルを多重化することにより大容量のデータを双方向で伝送することを可能にする技術である。すでに多数付設されている光ファイバケーブル網をＷＤＭ化すれば、新たに光ファイバケーブルを付設することなしに、通信容量を飛躍的に増大させることが可能な技術である。
【０００３】
図４を参照して、従来の波長多重光通信システムについて説明する。図４は、従来の波長多重光通信システム１Ｃの構成を示すブロック図である。
光ファイバ線路５０は、長距離区間を隔てて施設されている光ファイバケーブル（光ファイバの束）のうち１心の光ファイバを示したものである。この光ファイバ線路５０の両端には、光合分波器５１、同６１が接続されている。そして各々の光合分波器５１、同６１には、複数の光トランシーバ５２ａ，５２ｂ…、同６２ａ，６２ｂ…がそれぞれ１心の光ファイバ５３ａ，５３ｂ…、同６３ａ，６３ｂ…で接続されている。
【０００４】
光合分波器は、例えば光合分波器５１に着目すると、それぞれ接続された光トランシーバ５２ａ，５２ｂ…が送信した波長の異なる光信号λａ1´，λｂ1´…を重畳した多重化信号Ｓ1´として光ファイバ線路５０に出力する機能を有している。また、光合分波器５１は、光ファイバ線路５０から伝送される多重化信号Ｓ2´を受信し、元の光信号λａ2´，λｂ2´…に分波し、光トランシーバ５２ａ，５２ｂに送信する機能も有している。
【０００５】
このような、光合分波器５１、同６１の可逆的に複数の異なる波長の光信号と多重化信号とを相互に変換する機能により、１心の光ファイバ（光ファイバ線路５０）で、複数の双方向通信（図５では、光トランシーバ５２ａと同６２ａ、同５２ｂと同６２ｂ）を開設することが可能になる（例えば、非特許文献１参照）。
また、送信及び受信信号を時分割多重することで、一心の光ファイバ上で同一の波長チャネルでの送受信を実現している例もある（例えば、非特許文献２参照）。
【非特許文献１】N.Buldawoo et al.,"Transmission experiment using a laser amplifier-reflector for DWDM access network,"proc.of ECOC'98,pp.273-274,1998.
【非特許文献２】山本  他６名：「ＳＯＡを用いたＷＤＭ光アクセス方式の基礎検討」、１９９９年電子情報通信学会総合大会  Ｂ−１０−１４７、１９９９年９月
【発明の開示】
【発明が解決しようとする課題】
【０００６】
しかし、従来の波長多重光通信システム１Ｃにおいては、図４に示すように、光トランシーバ５２ａ，５２ｂ…および同６２ａ，６２ｂ…は、それぞれ光合分波器５１および同６１に対して１心の光ファイバ５３ａ，５３ｂ…および同６３ａ，６３ｂ…を介して接続されている。この為、１心の光ファイバ５３ａ，５３ｂ…および同６３ａ，６３ｂ…には、それぞれ光トランシーバ５２ａ，５２ｂ…および６２ａ，６２ｂ…が送・受信する光信号λａ1´，λｂ1´…および同λａ2´，λｂ2´…が双方向に行き来することになる。この為、例えば、光トランシーバ５２ａに着目すると、光合分波器５１に接続する１心の光ファイバ５３ａの内部で送信信号（光信号λａ1´）が反射した反射信号が、受信信号（光信号λａ2´）に重畳する。この反射信号は、特に送信信号（光信号λａ1´）の光パワーが最大である反射点Ｔ´で多く発生し、送信信号（光信号λａ1´）に対してノイズとして作用し、受信信号の品質を劣化させる問題がある。
【０００７】
本発明は、以上の問題点を解決することを目的としてなされたものであり、送信信号の反射による、受信信号の品質劣化の少ない波長多重光通信システムを提供することを目的とするものである。
【課題を解決するための手段】
【０００８】
本発明は、前記した目的を達成するために創案されたものであり、まず請求項１に記載の波長多重光通信システムは、複数の異なる波長の光信号を多重化した多重化信号を光ファイバに伝送し、双方向で通信する波長多重光通信システムにおいて、1心の光ファイバからなる第１の光ファイバ線路と、この第１の光ファイバ線路の両端に各々接続され、前記複数の異なる波長の光信号および前記多重化信号を相互に変換する光合分波器と、前記光合分波器の各々に接続されて対をなし、何れか一方が送信した特定の波長の光信号を他方が受信して双方向の通信を可能にする一対または二対以上の光トランシーバと、を備え、前記光合分波器および前記光トランシーバは、互いに光信号の伝送方向が異なる２心の光ファイバからなる第２の光ファイバ線路により接続されていることを特徴とした。
【０００９】
かかる構成によれば、双方向で光通信を行う一対の光トランシーバは、第１の光ファイバ線路の両端に設置された光合分波器にそれぞれ接続される。この接続は、２心の光ファイバである第２の光ファイバ線路により行われる。この第２の光ファイバ線路では、光トランシーバが送信する光信号と受信する光信号とがそれぞれ別個の経路で伝送される。この為、反射点は、光合分波器と第１の光ファイバとの接続部分近傍より以遠に形成されることになる。よって、この反射点が光信号を受信する光トランシーバから離間したことで、一心の光ファイバで双方向通信を行う通信方式において、送信信号の反射信号が受信信号に及ぼすノイズが低減される。
【００１０】
ここで反射とは、光ファイバ内を伝送する光信号の一部が、光ファイバの接続端面を通過できずに、進行方向を反転させて逆行する現象をいう。この反射の現象は、光ファイバ内部の途中経路においても発生する他、フレネル反射と呼ばれる空気との境界における屈折率の相違により光ファイバ端面でも発生する。
反射点とは、一方の光トランシーバが送信した光信号が反射し、この反射信号に他方の光トランシーバから受信する光信号が重畳する起点となる地点である。
【００１１】
請求項２に記載の波長多重光通信システムは、請求項1に記載の波長多重光通信システムにおいて、前記第２の光ファイバ線路に挿入される光減衰器を備えたことを特徴とした。
【００１２】
かかる構成によれば、光減衰器により、第２の光ファイバ線路を伝送する光信号の光パワーを調節することができる。これにより、個々の光トランシーバが受信する光信号の光レベルを一定に調整することが可能となる。
【発明の効果】
【００１３】
本発明にかかる波長多重光通信システムにより以下に示す優れた効果を奏する。
すなわち、本発明によれば、受信信号に反射信号が重畳する起点となる反射点を光トランシーバより離間した位置に形成することができるので、通信品質の向上が望める。さらに光ファイバ線路の光伝達特性や光トランシーバの光出入力特性にばらつきが存在しても、光信号のパワーを制御することにより、かかるばらつきを補償できる為、波長多重光通信システムの設計や維持管理が容易となる。
【発明を実施するための最良の形態】
【００１４】
（第１の実施の形態）
以下本発明の第１の実施の形態について図面を参照しつつ説明する。
図１および図２を参照して本発明における第１の実施の形態について説明する。図１は本発明における波長多重光通信システムの基本構成を示すブロック図である。
【００１５】
図１に示すように、波長多重光通信システム１Ａは、第１の光ファイバ線路１０、光合分波器２１、同３１、第２の光ファイバ線路２３ａ，２３ｂ…、同３３ａ，３３ｂ…、光トランシーバ２２ａ，２２ｂ…、同３２ａ，３２ｂ…から構成されている。
【００１６】
第１の光ファイバ線路１０は、Ａ地点とＢ地点との区間に施設されている光ファイバケーブル（光ファイバの束）のうち、代表して示される1心の光ファイバである。第１の光ファイバ線路１０の内部では、後記する多重化信号Ｓ1および同Ｓ2が双方向に行き来している。
【００１７】
光合分波器２１および同３１は、例えば、基板上に光回路を形成したアレイ型光導波路とＹ分岐回路とを、同一基板上に接続点無く一体成型して二端子出力を得るようにした構造であったり、光フィルタに二分岐光ファイバカプラや光サーキュレータなどの方向性結合器を低反射接続したものであったりする。そして、光合分波器２１，３１は、複数の単波長の光信号と、これら光信号を多重化した多重化信号と、を可逆的に相互に変換する機能を有するものである。そして、光合分波器２１、同３１は、それぞれＡ地点およびＢ地点に配置され、多重波入出力端子２１ｘおよび同３１ｘにおいて、第１の光ファイバ線路１０の両端に接続されている。
【００１８】
光合分波器２１は、送信光入力端子２１ａin、２１ｂin…から入力される各波長チャネルの光信号λａ1、λｂ1…を多重化して、多重波入出力端子２１ｘから第１の光ファイバ線路１０に多重化信号Ｓ1を出力するものである。また、光合分波器２１は、第１の光ファイバ線路１０を伝送する多重化信号Ｓ2を多重波入出力端子２１ｘから入力した後、この多重化信号Ｓ2を各光信号λａ2、λｂ2…に分波して各波長チャネルに対応した受信光出力端子２１ａout、２１ｂout…に出力する機能を持つ。
【００１９】
同様に、光合分波器３１も、送信光入力端子３１ａin、３１ｂin…から入力される各波長チャネルλａ2、λｂ2…の光信号を多重化して、第１の光ファイバ線路１０に多重化信号Ｓ2を出力し、入力した多重化信号Ｓ1を光信号λａ1、λｂ1…に分波して受信光出力端子３１ａout、３１ｂout…に出力する機能を持つ。かかる機能により、光合分波器２１、同３１は、１心の光ファイバである第１の光ファイバ線路１０を介して、対向する複数の光トランシーバ（同２２ａと同３２ａ、同２２ｂと同３２ｂ、…）間で互いに双方向で光通信を行うことを可能にしている。
【００２０】
なお、図１中、光合分波器２１、同３１は、波長チャネルとして、光信号λａ（λａ1、λａ2），λｂ（λｂ1、λｂ2）の二種類を示すが、これ以上の波長チャネルで構成される場合もある。
【００２１】
第２の光ファイバ線路２３ａは、本実施の形態では、２心の光ファイバから構成されている。この２心の光ファイバのうち何れか一方の光ファイバは、送信側光端子２２ａoutと送信光入力端子２１ａinとを連結し、光信号λａ1を光トランシーバ２２ａから光合分波器２１へと伝送するものである。また、この２心の光ファイバのうち他方の光ファイバは、受信側光端子２２ａinと受信光出力端子２１ａoutとを連結し、光信号λａ2を光合分波器２１から光トランシーバ２２ａへと伝送するものである。
第２の光ファイバ線路２３ｂ，３３ａ，３３ｂにおいても、何れも２心の光ファイバから構成されており、構成は第２の光ファイバ線路２３ａと同一であるので対応する説明を省略する。
【００２２】
光トランシーバ２２ａは、内部に光信号λａ1を発生するための光源と、光信号λａ2を検出し電気信号に変換する受光素子と、を有している。そして、光源から発生した光信号λａ1は、送信側光端子２２ａoutから第２の光ファイバ線路２３ａに出力される。また、光トランシーバ２２ａの受光素子は、受信側光端子２２ａinに連通し、第２の光ファイバ線路２３ａから伝送される光信号λa2を検出する。
光トランシーバ２２ｂ，３２ａ，３２ｂは、何れも構成は、光トランシーバ２２ａと同一であるので対応する説明を省略する。
【００２３】
以上のようにして、光トランシーバ２２ａと同３２ａ、そして同２２ｂと同３２ｂは互いに双方向通信が可能な対をなす。そして、双方向通信をとりなす光信号λａ1，λｂ1…、同λａ2，λｂ2…を多重化させることにより１心の光ファイバ（第１の光ファイバ線路1０）で、同時に複数の双方向通信が実現される。
【００２４】
次に図１と図２を参照して、波長多重光通信システムにおける通信動作について説明する。図２は、第１の実施の形態である波長多重光通信システムの動作を説明するフローチャートである。なお、図２中、左列のフローは、Ａ地点からＢ地点への通信を示し、右列のフローは、Ｂ地点からＡ地点への通信を示している。また、図２は、Ａ地点における送・受信を主体に記載されており、Ｂ地点における重複する処理の記載ならびに説明は以下、省略することにする。
【００２５】
まず、Ａ地点にあるトランシーバ２２ａおよび同２２ｂにおいて、送信側光端子２２ａoutおよび同２２ｂoutからそれぞれ光信号λａ1および光信号λｂ1が送信される（ステップＳ１１）。光信号λａ1および光信号λｂ1は、それぞれ第２の光ファイバ線路２３ａおよび同２３ｂを経由して、それぞれ送信光入力端子２１ａinおよび同２１ｂinから光合分波器２１に入力される（ステップＳ１２）。一方、光信号λａ1および光信号λｂ1の一部は反射して送信側光端子２２ａout方向に逆行する（ステップＳ１３）。
【００２６】
送信光入力端子２１ａinおよび同２１ｂinを通過した光信号λａ1および光信号λｂ1は、光合分波器２１の内部で多重化され、多重波入出力端子２１ｘから多重化信号Ｓ1として出力される（ステップＳ１４）。この多重化信号Ｓ1は、第１の光ファイバ線路１０を経由してＢ地点に伝送され、光合分波器３１の多重波入出力端子３１ｘに入力される（ステップＳ１５）。また一方で、多重化信号Ｓ1の一部は、反射して重波入出力端子２１ｘ方向に逆行することとなる（ステップＳ１６）。多重波入出力端子３１ｘを通過した多重化信号Ｓ1は、光合分波器３１の内部で、光信号λａ1および光信号λｂ1に分波される（ステップＳ１７）。分波された光信号λａ1、および光信号λｂ1は、それぞれ対応する波長の受信光出力端子３１ａoutおよび同３１ｂoutから出力される（ステップＳ１８）。
【００２７】
出力された光信号λａ1および光信号λｂ1は、それぞれ第２の光ファイバ線路３３ａ，３３ｂを経由して、それぞれ光トランシーバ３２ａおよび同３２ｂにおいて受信される（ステップＳ１９）。
【００２８】
一方、Ｂ地点における光トランシーバ３２ａ、３２ｂからそれぞれ送信された光信号λａ2、および同λｂ2の光信号は（ステップＳ２０）、光合分波器３１により多重化され多重波入出力端子３１ｘより多重化信号Ｓ2として出力される（ステップＳ２１）。この多重化信号Ｓ2は、第１の光ファイバ線路１０でステップＳ１６において生じた反射信号に重畳して伝送され、光合分波器２１に入力される（ステップＳ２２）。
【００２９】
このように、受信信号（多重化信号Ｓ2）に反射信号が重畳する現象は、双方向に光信号が行ききする１心の光ファイバ（第１の光ファイバ線路１０）で発生する。この反射信号が受信信号に重畳する現象は、特に光信号が出・入力される多重波入出力端子２１ｘの直近の位置である反射点Ｔにおいて集中的に発生する。これは、多重波入出力端子２１ｘから出力される光信号のパワーがこの反射点Ｔにおいて最大である分、反射信号のパワーも大きくなることによる。
【００３０】
反射信号が重畳した多重化信号Ｓ2は、光合分波器２１に入力後、波長チャネルごとに光信号λａ2および光信号λｂ2として分波され（ステップＳ２３）、それぞれ受信光出力端子２１ａoutおよび同２１ｂoutから出力される（ステップＳ２４）。出力された光信号λａ2および光信号λｂ2は、第２の光ファイバ線路２３ａおよび同２３ｂを伝送して、それぞれ光トランシーバ２２ａおよび同２２ｂにおいて受信される（ステップＳ２５）。そして通信が終了するまで、ステップＳ１１〜ステップＳ１９、およびステップＳ２０〜ステップＳ２５のフローが繰り返される（ステップＳ２６）。
【００３１】
以上述べた動作により、第１の実施形態にかかる波長多重光通信システム１Ａでは、光トランシーバ２２ａ，２２ｂが受信する光信号λａ2，λｂ2に、ステップＳ１３において発生した反射信号が重畳しないといった作用が得られる。すなわち、図４に示す従来の波長多重光通信システム１Ｃでは、図２の破線で示されるように反射信号が重畳されていたが、本発明ではこの破線に対応するフローがない。これにより、波長多重通信システム１Ａにおける反射点Ｔは、送信側光端子２２ａoutから離間した位置に発生することとなり、受信される光信号λａ2，λｂ2に対する反射信号の影響は相対的に低減される。
【００３２】
かかる作用により得られる効果を、受信される光信号の光パワーレベルの観点から、以下、検証する。
ここで、光トランシーバ２２ａおよび同３２ａが出力する光信号λａ1，λａ2のパワーをそれぞれＰ22aおよびＰ32aとし、第１の光ファイバ線路１０、第２の光ファイバ線路２３ａおよび同３３ａの損失をそれぞれＬ10、Ｌ23aおよびＬ33aとし、光合分波器２１，３１の挿入損失をＬAWGとし、さらに反射信号の減衰量をＲとする。
【００３３】
光トランシーバ３２ａが送信後、光トランシーバ２２ａが受信した光信号λａ2のパワーＰSIG22aは、次の（１）式で表される。
ＰSIG22a＝Ｐ32a−Ｌ33a−ＬAWG−Ｌ10−ＬAWG−Ｌ23a      （１）
【００３４】
また、光トランシーバ２２ａが発信する光信号λａ1が多重波入出力端子３１ｘに反射した後、元に戻ってきた反射信号のパワーＰREF22aは、次の（２）式で表される。
ＰREF22a＝Ｐ22a−Ｌ23a−ＬAWG−Ｒ−ＬAWG−Ｌ23a（２）
【００３５】
よって光トランシーバ２２ａに受信された光信号λａ2と反射信号とのパワーレベルの差ＰSX22aは、次の（３）式で表される。
ＰSX22a＝ＰSIG22a−ＰREF22a
＝（Ｐ32a−Ｐ22a）−（Ｌ10−Ｌ23a＋Ｌ33a）＋Ｒ      （３）
【００３６】
波長多重光通信システム１Ａは、（１）式のＰSIG22aが受信側光端子２２ａinに連通する受光素子の最小受光感度を上回るように、かつ、（３）式のＰSX22aが十分に大きくなるように、各パラメータ（Ｌ10、Ｌ23a、Ｌ33a、ＬAWG）を決定して設計される。ここで、ＰREF22aは光信号λａ2に対する雑音として作用するため、ＰSX22aが十分に大きいということは、光トランシーバ２２ａの受信信号が反射光によるノイズの影響を回避して良好な通信品質が保証されていることを意味する。
【００３７】
次に、図４を参照して従来の波長多重光通信システム１Ｃにおいて同様の考察を行う。光トランシーバ５２ａおよび同６２ａの出力をそれぞれＰ52aおよびＰ62aとし、光ファイバ線路５０、同５３ａおよび同６３ａの損失をそれぞれＬ50、Ｌ53aおよびＬ63aとし、光合分波器５１，６１の挿入損失をＬAWGとし、反射信号の減衰量をＲとする。なお、波長多重光通信システム１Ｃにおける反射点は、双方向に光信号が行き交う１心の光線路上でかつ、この伝送波を受信する光トランシーバの直近の位置である反射点Ｔ´で示される位置に形成される。
【００３８】
光トランシーバ６２ａが送信後、光トランシーバ５２ａが受信した光信号λａ2´のパワーＰSIG52aは、次の（４）式で表される。
ＰSIG52a＝Ｐ62a−Ｌ63a−ＬAWG−Ｌ50−ＬAWG−Ｌ53a      （４）
【００３９】
また光トランシーバ５２ａから送信される光信号λａ1´が光合分波器５１に反射した後、元に戻ってきた反射信号のパワーＰREF52aは、次の（５）式で表される。
ＰREF52a＝Ｐ52a−Ｒ      （５）
【００４０】
よって光トランシーバ５２ａが受信した光信号λａ2´と反射信号とのパワーレベルの差ＰSX52aは、次の（６）式で表わされる。
ＰSX52a＝ＰSIG52a−ＰREF52a
＝（Ｐ62a−Ｐ52a）−（Ｌ50＋Ｌ53a＋Ｌ63a）−２ＬAWG＋Ｒ      （６）
【００４１】
ここで、（３）式と（６）式を比較し、Ｐ22a＝Ｐ52a、Ｐ32a＝Ｐ62a、Ｌ10＝Ｌ50、Ｌ23a＝Ｌ53a、Ｌ33a＝Ｌ63aであるとすると、（３）式のほうが２ＬAWG＋２Ｌ23aだけ大きいことがわかる。すなわち、本実施の形態にかかる波長多重光通信システム１Ａによれば従来例の波長多重光通信システム１Ｃよりも受信する光信号と反射信号とのパワーレベルの差ＰSXを大きくできるといった効果を得る。
【００４２】
（第２の実施の形態）
次に図３を参照して本発明における第２の実施の形態について説明する。図３は本実施の形態における波長多重光通信システムの基本構成を示すブロック図である。尚、図３において図１と同一もしくは対応する部分は同一符号または記号で示してその説明は省略する。
本実施形態が第１の実施形態に相違する点は、第２の光ファイバ線路２３ａ，２３ｂの中にそれぞれ光減衰器２４ａ，２４ｂを挿入して波長多重通信システム１Ｂが構成されている点にある。
【００４３】
光減衰器２４ａ，２４ｂは、光ファイバの途中経路に介在して、伝送される光信号の光パワーを調整するものである。この光減衰器２４ａ，２４ｂによる光パワー調整は、図示しない公知の可変手段を用いて連続的に可変しうるものである。
【００４４】
本実施形態の光トランシーバが受信する光信号の光パワーレベルについて、光トランシーバ２２ａが受信する光信号λａ2を例に以下、検討する。
光トランシーバ３２ａが送信し、光トランシーバ２２ａが受信する光信号λａ2、および光トランシーバ２２ａが発信する光信号λａ1が光合分波器３１に反射して元に戻ってくる反射信号は、何れも光減衰器２４ａを経由して受信側光端子２２ａinに入力される。ここで光トランシーバ２２ａが受信した光信号λａ2のパワーをＰSIG22a、反射信号のパワーをＰREF22a、この光信号λａ2と反射信号とのパワーレベルの差をＰSX22a、光減衰器２４ａの損失をＬATTとすると（７）〜（９）式が得られる。
ＰSIG22a＝Ｐ32a−Ｌ33a−ＬAWG−Ｌ10−ＬAWG−ＬATT−Ｌ23a      （７）
ＰREF22a＝Ｐ22a−Ｌ23a−ＬATT−ＬAWG−Ｒ−ＬAWG−ＬATT−Ｌ23a      （８）
ＰSX22a＝（Ｐ32a−Ｌ33a）−（Ｐ22a−Ｌ23a−ＬATT）＋Ｒ−Ｌ10      （９）
【００４５】
（９）式より、光減衰器２４ａを第２の光ファイバ線路２３ａに挿入し、伝送される光信号の損失量を調整することによりＰSX22aの値を操作することができる。さらに第１の光ファイバ線路１０の両側における光パワーレベル（Ｐ32a−Ｌ33a）と（Ｐ22a−Ｌ23a）との関係もＬATTにより調整できる。これにより波長多重光通信システム１Ｂ内部における光線路の損失や光出力においてばらつきがある場合でも、光減衰器２４ａにより光パワーを適切に制御することで、光トランシーバ２２ａが受信する光信号の光レベルを一定に調整することが可能となる。
【００４６】
なお、図３において光減衰器２４ａ，２４ｂは、それぞれ第２の光ファイバ線路２３ａ，２３ｂにおいて受信光出力端子２１ａout，２１ｂoutに接続される光ファイバ中に挿入されているが、これらを送信光入力端子２１ａin，２１ｂin側に接続してもかまわない（図示せず）。この場合にも式（７）、式（８）、式（９）は同様に成立する。
【００４７】
さらに、図３では、光トランシーバ２２ａ，２２ｂ側にのみ光減衰器２４ａ，２４ｂが挿入されているが、光トランシーバ３２ａ，３２ｂ側にも同時に光減衰器（図示せず）を挿入してもかまわない。この場合には、第１の光ファイバ線路1０の左右での損失やパワーレベルのアンバランスの補償を第１の光ファイバ線路１の両側より行えることになる。
【００４８】
以上述べたように、第２の実施形態にかかる波長多重光通信システム１Ｂによれば、第１の実施形態で述べたような受信光信号と反射光とのパワーレベルの差を大きくとれることに加え、光減衰器２４ａ，２４ｂを第２の光ファイバ線路に挿入して伝送される光パワーを制御することによって、光ファイバ線路やこれに接続される光トランシーバの特性のばらつきによって発生する受信信号の光パワーばらつきを補償できる。これにより、波長多重光通信システムの設計や維持管理が容易となる。
【図面の簡単な説明】
【００４９】
【図１】本発明における第１の実施の形態である波長多重光通信システムのブロック図である。
【図２】本発明における第１の実施の形態である波長多重光通信システムの動作フローを説明するフローチャートである。
【図３】本発明における第２の実施の形態である波長多重光通信システムのブロック図である。
【図４】従来の波長多重光通信システムのブロック図である。
【符号の説明】
【００５０】
１Ａ、１Ｂ  波長多重光通信システム
１０    第１の光ファイバ線路
２１、３１  光合分波器
２２ａ、２２ｂ、３２ａ、３２ｂ  光トランシーバ
２３ａ、２３ｂ、３３ａ、３３ｂ  第２の光ファイバ線路
２４ａ、２４ｂ  光減衰器
Ｔ      反射点
【図１】
2005079689.tif 000003
【図２】
2005079689.tif 000004
【図３】
2005079689.tif 000005
【図４】
2005079689.tif 000006